(57)【要約】【課題】複数のカム溝部を有するカム筒の強度を高め、これら複数のカム溝部により移動される複数の光学素子の位置精度を高める。【解決手段】レンズ装置は、ガイド溝部１０７ａ〜１０７ｃを有する案内筒１０７と、案内筒の外周に回転可能に配置され、周壁を貫通する貫通カム溝部１０８ａ、及び該周壁の内周面に該周壁を貫通しないように形成された内周カム溝部１０８ａ〜１０８ｄを有するカム筒１０８と、カム筒の外周に配置され、カム筒の回転に応じてガイド溝部と貫通カム溝部により光軸方向にガイド及び移動される第１の光学素子Ｌ１と、案内筒の内周に配置され、カム筒の回転に応じてガイド溝部と内周カム溝部により光軸方向にガイド及び移動される第２の光学素子Ｌ３，１１０と、第１及び第２の光学素子のうち一方の光学素子の他方の光学素子に対する位置調整を行うための調整機構１４６，１２２ａとを有する。【選択図】図２
2010032727.tif 000002
【特許請求の範囲】
【請求項１】
周壁を貫通し、光軸方向に延びる少なくとも１つのガイド溝部を有する案内筒と、
前記案内筒の外周に回転可能に配置され、周壁を貫通する少なくとも１つの貫通カム溝部、及び該周壁の内周面に該周壁を貫通しないように形成された少なくとも１つの内周カム溝部を有するカム筒と、
前記カム筒の外周に配置され、前記カム筒の回転に応じて、前記ガイド溝部と前記貫通カム溝部により光軸方向にガイド及び移動される少なくとも１つの第１の光学素子と、
前記案内筒の内周に配置され、前記カム筒の回転に応じて、前記ガイド溝部と前記内周カム溝部により光軸方向にガイド及び移動される少なくとも１つの第２の光学素子と、
前記第１及び第２の光学素子のうち一方の光学素子の他方の光学素子に対する位置調整を行うための調整機構とを有することを特徴とするレンズ装置。
【請求項２】
前記貫通カム溝部と前記内周カム溝部の数が互いに異なり、
前記一方の光学素子は、前記貫通カム溝部と前記内周カム溝部のうち数が少ない方のカム溝部により光軸方向に移動される光学素子であることを特徴とする請求項１に記載のレンズ装置。
【請求項３】
前記カム筒は、前記案内筒に設けられたカムフォロアに係合して該カム筒を光軸方向に移動させる、前記貫通カム溝部又は前記内周カム溝部であるカム筒移動用カム溝部を有し、
前記一方の光学素子は、前記カム筒移動用カム溝部を含めて、前記貫通カム溝部と前記内周カム溝部のうち数が少ない方のカム溝部により光軸方向に移動される光学素子であることを特徴とする請求項１に記載のレンズ装置。
【請求項４】
前記カム筒は、前記案内筒に設けられたカムフォロアに係合して該カム筒を光軸方向に移動させる、前記貫通カム溝部又は前記内周カム溝部であるカム筒移動用カム溝部を有し、
前記カム筒移動用カム溝部は、前記貫通カム溝部と前記内周カム溝部のうち前記一方の光学素子を光軸方向に移動させるカム溝部とは異なるカム溝部であることを特徴とする請求項１に記載のレンズ装置。
【請求項５】
請求項１から４のいずれか１つに記載のレンズ装置を有することを特徴とする光学機器。
【発明の詳細な説明】
【技術分野】
【０００１】
本発明は、カム筒を用いてレンズ等の光学素子を光軸方向に移動させるレンズ装置に関する。
【背景技術】
【０００２】
上記のようなレンズ装置のうち多くは、特許文献１にて開示されているように、光軸方向に延びるガイド溝（直進溝）部を有する案内筒と、複数のカム溝部を有するカム筒とを有する。そして、カム筒が回転すると、ガイド溝部と複数のカム溝部にそれぞれ係合したカムフォロアを介して複数のレンズが光軸方向に移動する。
【０００３】
カム筒に複数のカム溝部を設ける場合、これらカム溝部の加工方法を同じにする（例えば、全てのカム溝部をカム筒の周壁を貫通するカム溝部とする）方が、加工精度の誤差が少なく、該複数のカム溝部によって移動させる光学素子の位置精度を高め易い。
【特許文献１】特開２００１−１０００８０号公報
【発明の開示】
【発明が解決しようとする課題】
【０００４】
しかしながら、１つのカム筒を用いて多くのレンズを同時に異なるカム溝形状で移動させるために、カム筒に多数のカム溝部を形成すると、隣り合うカム溝部間の間隔が狭くなる。この場合に、すべてのカム溝部をカム筒の周壁を貫通するように形成すると、外部から衝撃が加わった際にカム溝部（又はカム筒）に変形が生じ易くなり、レンズの位置精度が低下してしまう。
【０００５】
本発明は、複数のカム溝部を有しながらも衝撃に対して強く、かつこれら複数のカム溝部により光軸方向に移動される複数の光学素子の位置精度を高めることが可能なレンズ装置及び光学機器を提供する。
【課題を解決するための手段】
【０００６】
本発明の一側面としてのレンズ装置は、周壁を貫通し、光軸方向に延びる少なくとも１つのガイド溝部を有する案内筒と、案内筒の外周に回転可能に配置され、周壁を貫通する少なくとも１つの貫通カム溝部、及び該周壁の内周面に該周壁を貫通しないように形成された少なくとも１つの内周カム溝部を有するカム筒と、カム筒の外周に配置され、カム筒の回転に応じて、ガイド溝部と貫通カム溝部により光軸方向にガイド及び移動される少なくとも１つの第１の光学素子と、案内筒の内周に配置され、カム筒の回転に応じて、ガイド溝部と内周カム溝部により光軸方向にガイド及び移動される少なくとも１つの第２の光学素子とを有する。そして、該レンズ装置は、第１及び第２の光学素子のうち一方の光学素子の他方の光学素子に対する位置調整を行うための調整機構とを有することを特徴とする。
【０００７】
なお、上記レンズ装置を有する光学機器も、本発明の他の一側面を構成する。
【発明の効果】
【０００８】
本発明によれば、カム筒に貫通カム溝部と内周カム溝部とが混在するので、カム溝部の数が多くても、衝撃が加わったときにカム溝部（又はカム筒）に変形を生じ難くすることができる。しかも、貫通カム溝部と内周カム溝部のうち一方のカム溝部によって移動される光学素子の他方のカム溝部によって移動される光学素子に対する位置調整を行うための調整機構が設けられている。このため、互いに加工方法が異なる貫通カム溝部と内周カム溝部により移動される光学素子間の相対位置精度の誤差を補正することができる。
【０００９】
したがって、本発明によれば、複数のカム溝部を有しながらも衝撃に対して強く、かつ該複数のカム溝部により移動される複数の光学素子の位置精度を高めることができるレンズ装置及びこれを有する光学機器を実現することができる。
【発明を実施するための最良の形態】
【００１０】
以下、本発明の好ましい実施例について図面を参照しながら説明する。
【００１１】
図１〜図３には、本発明の実施例である一眼レフカメラ用の交換レンズ（レンズ装置）の内部構造を示している。
【００１２】
図１は、該交換レンズの断面を示している。図２は、該交換レンズに設けられた光学系保持部を分解して示している。図３は、該交換レンズに用いられるカム筒Ａ１０８を示している。
【００１３】
本実施例の交換レンズは、被写体側から順に、第１〜第６レンズユニットＬ１〜Ｌ６を有する６レンズユニット構成の交換レンズである。この交換レンズでは、ズーム動作によって、全てのレンズユニットＬ１〜Ｌ６が光軸方向に移動し、フォーカス動作によって第２レンズユニットＬ２が光軸方向に移動する。
【００１４】
ズーム動作において、第３レンズユニットＬ３と第６レンズユニットＬ６が光軸方向に一体的に移動する。また、第４レンズユニットＬ４と第５レンズユニットＬ５が光軸方向に一体的に移動する。さらに、第４レンズユニットＬ４は、光軸方向への移動とは別に、像振れ補正動作を行うために光軸に直交する方向にも移動（シフト）する。
【００１５】
１０１はマウントであり、不図示のカメラ本体に取り付けるためのバヨネット部を有しており、固定筒１０２にビス止め固定されている。
【００１６】
１０３は外装環であり、マウント１０１と固定筒１０２との間に挟み込まれて固定されている。外装環１０３には、不図示のスイッチパネルが取り付けられており、該スイッチパネルに設けられたスイッチを切り換えることによって、オートフォーカスや像振れ補正等の機能を選択して使用することができる。
【００１７】
１０７は案内筒であり、固定筒１０２がビス止めされることでカメラ本体に対する固定部を構成する。案内筒１０７は、光軸方向に延びるガイド溝部１０７ａ，１０７ｂ，１０７ｃを有している。ガイド溝部１０７ａ，１０７ｂ，１０７ｃはいずれも、案内筒１０７の周壁を外周から内周に貫通するように形成されている。
【００１８】
案内筒１０７の外周には、カム筒Ａ１０８が案内筒１０７に対して回転可能及び光軸方向に移動可能に配置されている。
【００１９】
カム筒Ａ１０８は、その周壁を外周から内周に貫通するカム溝部（第１のカム溝部：以下、貫通カム溝部という）１０８ａを有する。また、カム筒Ａ１０８は、その周壁の内周面に該周壁を貫通しないように形成されたカム溝部（第２のカム溝部：以下、内周カム溝部という）１０８ｂ，１０８ｃを有する。なお、以下の説明において、「周壁の内周面に該周壁を貫通しないように形成された」を、「周壁の内周面のみに形成された」ともいう。
【００２０】
さらに、カム筒Ａ１０８は、内周カム溝部１０８ｂ，１０８ｃと同様に、周壁の内周面のみに形成されたカム筒移動用カム溝部１０８ｄを有する。
【００２１】
カム筒Ａ１０８は、案内筒１０７にビス止めされたコロ（フォロア）１０７ｄとカム筒移動用カム溝部１０８ｄとの係合により、案内筒１０７に対して光軸回りに回転しながら光軸方向に移動する。
【００２２】
貫通カム溝部１０８ａ及びガイド溝部１０７ａには、後述する直進筒Ａ１１２の内周に設けられたカムフォロア１１３が係合する。また、ガイド溝部１０７ｂ及びカム溝部１０８ｂには、第３レンズユニットＬ３を保持する第３保持枠（レンズ保持部材）１０９の外周に設けられたカムフォロア１１４が係合する。さらに、ガイド溝部１０７ｃ及びカム溝部１０８ｃには、後述する振れ補正ユニット１１０の外周に設けられたカムフォロア１１５が係合する。
【００２３】
カム筒Ａ１０８が回転すると、案内筒１０７に設けられたガイド溝部１０７ａ，１０７ｂ，１０７ｃと、カム筒Ａ１０８に設けられたカム溝部１０８ａ，１０８ｂ，１０８ｃとの交点がそれぞれ光軸方向に移動する。このため、ガイド溝部１０７ａ及び貫通カム溝部１０８ａにカムフォロア１１３が係合した直進筒Ａ１１２は、該カムフォロア１１３を介して、ガイド溝部１０７ａにより光軸方向にガイドされながら貫通カム溝部１０８ａのリフトによって光軸方向に移動する。ガイド溝部１０７ａにより光軸方向にガイドされることにより、直進筒Ａ１１２の光軸回りでの回転は阻止される。このことは、ガイド溝部１０７ｂ，１０７ｃにより光軸方向にガイドされる第３保持枠１０９及び振れ補正ユニット１１０についても同じである。
【００２４】
また、ガイド溝部１０７ｂ及び内周カム溝部１０８ｂにカムフォロア１１４が係合した第３保持枠１０９は、該カムフォロア１１４を介して、ガイド溝部１０７ｂにより光軸方向にガイドされながら内周カム溝部１０８ｂのリフトによって光軸方向に移動する。さらに、ガイド溝部１０７ｃ及び内周カム溝部１０８ｃにカムフォロア１１５が係合した振れ補正ユニット１１０は、該カムフォロア１１５を介して、ガイド溝部１０７ｃにより光軸方向にガイドされながら内周カム溝部１０８ｃのリフトによって光軸方向に移動する。
【００２５】
第３保持枠１０９は、案内筒１０７の内周に配置されている。第３保持枠１０９には、絞り駆動部と複数の絞り羽根とにより構成される電磁絞りユニット１１７がビス止め固定されている。
【００２６】
また、第３保持枠１０９の後端には、第６レンズユニットＬ６を保持する第６保持枠１１８が、補強板１１９とともにばね座金付きビスにより固定されている。
【００２７】
振れ補正ユニット１１０は、案内筒１０７の内周に配置され、第４レンズユニットＬ４を光軸に直交する方向にシフト可能に保持しており、マグネット及びコイルにより構成される電磁駆動部によって第４レンズユニットＬ４をシフトさせる。また、振れ補正ユニット１１０は、第５レンズユニットＬ５も保持している。
【００２８】
直進筒Ａ１１２は、カム筒Ａ１０８の外周に配置され、光軸方向に延びるガイド溝部１１２ａを有している。
【００２９】
１１１は直進筒Ａ１１２の外周に配置されたカム筒Ｂである。カム筒Ｂ１１１は、直進筒Ａ１１２に対して、バヨネット結合により、光軸回りでの回転のみが可能に連結されている。また、カム筒Ａ１０８にビス止めされたコロ（フォロア）１３１が、カム筒Ｂ１１１に設けられた光軸方向に延びるガイド溝部１１１ａに係合することで、カム筒Ｂ１１１は、カム筒Ａ１０８に対しては光軸方向への移動のみが可能となっている。これにより、カム筒Ｂ１１１は、光軸方向には直進筒Ａ１１２と一体的に移動し、光軸回りにはカム筒Ａ１０８と一体的に回転する。
【００３０】
１２２は直進筒Ｂであり、カム筒Ｂ１１１の外周に配置されている。直進筒Ｂ１２２には、カムフォロア１１６がビス止めされているとともに、直進筒Ｂ１２２の周方向に対してわずかに角度を有した（傾斜した）カム溝部１２２ａが設けられている。カムフォロア１１６は、直進筒Ａ１１２に光軸方向に延びるように設けられたガイド溝部１１２ａとカム筒Ｂ１１１に設けられたカム溝部１１１ｂとに係合する。このため、カム筒Ｂ１１１が回転すると、ガイド溝部１１２ａ及びカム溝部１１１ｂとの交点の移動に伴い、直進筒Ｂ１２２は、直進筒Ａ１１２に対して光軸方向に移動する。
【００３１】
１２３は第１レンズユニットＬ１を保持する第１保持枠である。第１保持枠１２３には、直進筒Ｂ１２２のカム溝部１２２ａに係合するコロ（フォロア）１４６が取り付けられている。
【００３２】
なお、第１〜第６レンズユニットＬ１〜Ｌ６、振れ補正ユニット１１０及び電磁絞りユニット１１７は、光学素子である。また、第１レンズユニットＬ１（第１保持枠１２３）が、第１の光学素子に相当し、第３レンズユニットＬ３（第３保持枠１０９）及び振れ補正ユニット１１０が、第２の光学素子に相当する。
【００３３】
第１保持枠１２３は、カム筒Ａ１０８及びカム筒Ｂ１１１の回転により、カム筒Ａ１０８に対しては以下の移動量だけ光軸方向に移動する。すなわち、カム筒Ａ１０８の貫通カム溝部１０８ａによる直進筒Ａ１１２及びカム筒Ｂ１１１の光軸方向移動量と、カム筒Ｂ１１１のカム溝部１１１ｂによる直進筒Ｂ１２２の直進筒Ａ１１２に対する光軸方向移動量との合成移動量だけ移動する。なお、カム筒Ａ１０８自体も、カム筒移動用カム溝部１０８ｄにより案内筒１０７に対して光軸方向に移動するため、この光軸方向移動量を上記合成移動量に加えた移動量だけ第１保持枠１２３は案内筒１０７に対して移動する。
【００３４】
コロ１４６は、第１保持枠１２３に回転可能に取り付けられる取り付け軸部と、該取り付け軸部に対して偏心し、直進筒Ｂ１２２のカム溝部１２２ａに係合する偏心軸部とを有している。後述するように、第１保持枠１２３における周方向３箇所に取り付けられたコロ１４６の偏心軸部の回転位置の組み合わせによって、直進筒Ｂ１２２に対する、つまりは光軸方向に対する第１保持枠１２３の傾きを調整（任意に設定）することができる。
【００３５】
第１保持枠１２３の光軸方向に対する傾き及び光軸方向での位置の調整（本実施例では、傾き及び位置の調整をまとめて位置調整という）は、以下の手順で行われる。
【００３６】
まず、直進筒Ｂ１２２の内周にコロ１４６を取り付ける前の第１保持枠１２３を挿入する。次に、３つのコロ１４６を、直進筒Ｂ１２２の周方向３領域に設けられたガイド溝部１２２ａに外周側から挿入してガイド溝部１２２ａを貫通させ、各コロ１４６の取り付け軸部を第１保持枠１２３に取り付ける。これにより、第１保持枠１２３を直進筒Ｂ１２２に対して、脱落しないように保持させることができる。
【００３７】
この状態で、３つのコロ１４６の偏心軸部を回転させる（すなわち、偏心軸部の回転位置の組み合わせを選択する）ことで、直進筒Ｂ１２２に対する第１保持枠１２３の傾きを任意に設定する。
【００３８】
次に、第１保持枠１２３を直進筒Ｂ１２２に対して光軸回りで回転させて、コロ１４６（偏心軸部）のカム溝部１２２ａに対する係合位置を変更することにより、第１保持枠１２３を直進筒Ｂ１２２に対して光軸方向に移動させることができる。これにより、第１保持枠１２３の光軸方向位置を撮影面上にピントが合うように調整することができる。
【００３９】
このように、本実施例では、「第１及び第２の光学素子のうち一方の光学素子の他方の光学素子に対する位置調整を行うための調整機構」として、第１レンズユニットＬ１（第１保持枠１２３）の他の光学素子に対する位置や傾きを調整する機構を設けている。該「一方の光学素子」である第１レンズユニットＬ１は、カム筒Ａ１０８の貫通カム溝部１０８ａと内周カム溝部１０８ｂ，１０８ｃのうち数が少ない方のカム溝部（貫通カム溝部１０８ａ）により光軸方向に移動される光学素子である。
【００４０】
上述した位置調整の終了後には、直進筒Ｂ１２２の周方向３領域に設けられたビス座１２２ｂを、第１保持枠１２３の周方向３箇所に取り付けられる３つのビス１４７の頭部によって締め付ける。これにより、第１保持枠１２３の直進筒Ｂ１２２に対する光軸回りでの回転が阻止される。
【００４１】
図１において、１２０は直進筒Ｂ１２２の外周にビス止めされたフィルター枠であり、その外周にはバヨネット部が、内周にはネジ部がそれぞれ設けられている。バヨネット部にはフードを、ネジ部にはフィルター等のアクセサリーをそれぞれ装着することができる。
【００４２】
１２４は第１保持枠１２３の前面に貼り付けられた化粧環であり、その表面にはレンズ名称等の情報が印刷されている。
【００４３】
１２５はフォーカス駆動ユニットであり、固定筒１０２により保持されている。フォーカス駆動ユニットは、アクチュエータとギヤ列（図示せず）を含み、アクチュエータの回転をギヤ列により減速して出力ギヤ（図示せず）からフォーカスリング１２８に出力する。
【００４４】
フォーカスリング１２８は、固定筒１０２に対してバヨネット結合することで、固定筒１０２によって光軸回りでの回転のみが可能に支持されている。フォーカスリング１２８は、フォーカスユニット１２５の出力ギアからの回転が伝達されるギヤ部（図示せず）を有する。
【００４５】
また、フォーカスリング１２８の外周前端部には、マニュアルフォーカスのための操作部となるローレットリング１２９が取り付けられている。さらに、フォーカスリング１２８の後端部には、フォーカスキー１２７が固定されている。フォーカス駆動ユニット１２５からの回転出力は、フォーカスリング１２８を介してフォーカスキー１２７を光軸回りで回転させる。
【００４６】
１３２はズーム操作環であり、固定筒１０２に対してバヨネット結合することで、固定筒１０２によって光軸回りでの回転のみが可能に支持されている。ズーム操作環１３２には、カム筒Ａ１０８にビス止めされたズームキー１３３（図２参照）が係合する、光軸方向に延びるガイド溝部（図示せず）が設けられている。これにより、ズーム操作環１３２を回転させることで、カム筒Ａ１０８（及びカム筒Ｂ１１１）をズーム操作環１３２と一体的に光軸回りで回転させることができる。
【００４７】
１３７はズームブラシであり、ズーム操作環１３２にビス止めされている。ズームブラシ１３７は、ズーム操作環１３２の回転に伴って、固定筒１０２の外周に貼り付けられたエンコーダフレキシブル基板１３０のグレイコードパターン上を摺動する。フレキシブル基板１３０からの出力信号を用いて、ズーム操作環１３２の回転位置（つまりはズーム位置）を検出することができる。
【００４８】
ズーム操作環１３２の外周には、ズーム操作環１３２を操作する手が滑らないようにするためのズームゴム環１３５が取り付けられている。また、ズーム操作環１３２の前端部には、ネームリング１３６が取り付けられている。
【００４９】
１３４は中間筒であり、直進筒Ａ１１２にビス止めされ、直進筒Ａ１１２と一体的に光軸方向に移動する。
【００５０】
１３８は直進筒Ａ１１２の内周に配置されたフォーカスカム筒である。フォーカスカム筒１３８には、カム筒Ａ１０８に固定されたコロ１３１が係合するフォーカスカム溝部１３８ａが設けられている。また、フォーカスカム筒１３８には、図２に示すように光軸方向後方に延出するキー部１３８ｂが設けられており、該キー部１３８ｂはフォーカスキー１２７と係合する。このため、フォーカスキー１２７が回転することで、フォーカスカム筒１３８も光軸回りで回転する。
【００５１】
１４０はフォーカスカム筒１３８にビス止めされている第２保持枠であり、第２レンズユニットＬ２を保持する。
【００５２】
カム筒Ａ１０８が回転すると（フォーカスキー１２７は停止）、第２保持枠１４０は、カム筒Ａ１０８の案内筒１０７に対する光軸方向移動量と、コロ１３１とフォーカスカム溝部１３８ａの係合位置の光軸方向移動量とを合成した移動量だけ光軸方向に移動する。
【００５３】
また、フォーカスキー１２７が回転すると（カム筒Ａ１０８は停止）、第２保持枠１４０は、コロ１３１とフォーカスカム溝部１３８ａの係合位置の光軸方向の変化量に応じて回転しながら光軸方向に移動する。
【００５４】
本実施例では、このような機構により、インナーフォーカスにおける焦点距離の変化に伴う像面位置のずれを機械的に補正するために、第２レンズユニットＬ２を光軸方向に移動させる。
【００５５】
１４２はメイン基板であり、フォーカス駆動ユニット１２５、電磁絞りユニット１１７、振れ補正ユニット１１０及びエンコーダフレキシブル基板１３０等と、フレキシブル基板を介して電気的に接続されている。メイン基板１４２に搭載された不図示のＣＰＵは、エンコーダフレキシブル基板１３０からの出力信号に基づいてズーム位置を検出したり、フォーカス駆動ユニット１２５、電磁絞りユニット１１７及び振れ補正ユニット１１０の動作を制御したりする。
【００５６】
１４３は接点ブロックであり、マウント１０１にビス止めされている。メイン基板１４２上のＣＰＵは、接点ブロック１４３を通じてカメラ本体と通信することができる。また、接点ブロック１４３を通じて、メイン基板１４２等に対するカメラ本体からの電源の供給を受ける。
【００５７】
１４４はマウント１０１に弾性的に係合して固定された裏蓋である。１５０は第２保持枠１４０の前部に貼り付けられた遮光板、１５１は直進筒Ａ１１２の前端に貼り付けられた遮光板であり、それぞれ撮影に不要な光をカットするために設けられている。
【００５８】
このように構成された交換レンズでは、ズーム操作環１３２が回転操作されると、ズームキー１３３を介してカム筒Ａ１０８が回転し、上述した機構によって全てのレンズユニットＬ１〜Ｌ６が光軸方向に移動する。これにより、ズーミングが行われる。
【００５９】
一方、オートフォーカス時には、フォーカス駆動ユニット１２５からの回転出力によりフォーカスリング１２８及びフォーカスキー１２７が回転し、上述した機構を介して第２保持枠１４０（第２レンズユニットＬ２）が光軸方向に移動する。また、マニュアルフォーカス時には、ローレットリング１２９（フォーカスリング１２８）が回転されると、フォーカスキー１２７及び上述した機構を介して第２保持枠１４０（第２レンズユニットＬ２）が光軸方向に移動する。
【００６０】
振れ補正動作時には、不図示の振れセンサ（角速度センサ又は加速度センサ）の出力及びエンコーダフレキシブル基板１３０の出力に応じて、第５レンズユニットＬ５を光軸直交方向にシフトさせるよう振れ補正ユニット１１０を制御する。第５レンズユニットＬ５のシフト方向は、発生している振れによる撮影面での像の移動を打ち消す方向である。
【００６１】
以上説明した本実施例の交換レンズでは、カム筒Ａ１０８の周壁に、その外周から内周に貫通する貫通カム溝部１０８ａと、内周面のみに形成された内周カム溝部１０８b，１０８ｃとを混在させている。このため、光軸方向においてカム溝部１０８ａ〜１０８ｃが互いに近接しているにもかかわらず、外部からの衝撃に対して各カム溝部又はカム筒Ａ１０８の変形を生じ難くすることができる。
【００６２】
また、本実施例では、カム筒Ａ１０８を案内筒１０７の外周に配置し、案内筒１０７の内周において、第３保持枠１０９及び振れ補正ユニット１１０を、カム筒Ａ１０８の内周カム溝部１０８ｂ，１０８ｃにより光軸方向に移動させる。さらに、案内筒１０７の外周において、カム筒Ｂ１１１及び直進筒Ｂ１２２を介して第１保持枠１２３を光軸方向に移動させる直進筒Ａ１１２を、カム筒Ａ１０８の貫通カム溝部１０８ａにより光軸方向に移動させる。具体的には、貫通カム溝部１０８ａにより、第１保持枠１２３の光軸方向への合成移動量の一部を生成する。これにより、１つのカム筒Ａ１０８を用いて、多くの光学素子を同時に互いに異なるカム溝形状（移動量）により移動させる効率の良いレンズ駆動機構を実現することができる。
【００６３】
しかも、本実施例では、直進筒Ａ１１２、カム筒Ｂ１１１及び直進筒Ｂ１２２を介してカム筒Ａ１０８の貫通カム溝部１０８ａにより光軸方向に移動される第１保持枠１２３は、直進筒Ｂ１２２に対して位置及び傾きの調整（位置調整）が可能である。これにより、互いに加工方法が異なる貫通カム溝部１０８ａと内周カム溝部１０８ｂ，１０８ｃの加工誤差による第１保持枠１２３と第３保持枠１０９及び振れ補正ユニット１１０との相対位置ずれを補正することが可能である。したがって、各光学素子の良好な位置精度を確保することができる。
【００６４】
さらに、本実施例は、カム筒１０８の貫通カム溝部１０８ａにより移動される１つの光学素子（第１保持枠１２３）と、内周カム溝部１０８ｂ，１０８ｃにより移動される２つの光学素子（第３保持枠１０９及び振れ補正ユニット１１０）を有する。そして、貫通カム溝部１０８ａと内周カム溝部１０８ｂ，１０８ｃのうち数が少ない方の貫通カム溝部１０８ａにより移動される第１保持枠１２３に対して位置調整機構を設けている。これにより、少ない箇所（１箇所）での位置調整作業により、互いに加工方法が異なる貫通カム溝部１０８ａと内周カム溝部１０８ｂ，１０８ｃの加工誤差による光学素子間の相対位置ずれを補正することが可能である。
【００６５】
また、本実施例では、カム筒Ａ１０８を移動させるカム筒移動用カム溝部１０８ｄを、第３保持枠１０９及び振れ補正ユニット１１０を移動させる内周カム溝部１０８ｂ，１０８ｃと同じようにカム筒Ａ１０８の周壁の内周面のみに形成している。言い換えれば、カム筒移動用カム溝部１０８ｄは、貫通カム溝部と内周カム溝部のうち位置調整機構が設けられた第１保持枠１２３を移動させるカム溝部とは異なるカム溝部である。そして、カム筒移動用カム溝部１０８ｄを含めて、カム筒Ａ１０８の周壁を貫通するカム溝部と周壁の内周のみに形成されたカム溝部のうち数が少ない方のカム溝部（貫通カム溝部１０８ａ）により移動される第１保持枠１２３に対して位置調整機構を設けている。
【００６６】
これにより、同じ加工方法で形成される（つまりは精度の差がほとんどない）カム溝部１０８ｂ〜１０８ｄにより案内筒１０７に対して移動する第３保持枠１０９及び振れ補正ユニット１１０の位置精度（移動精度）を確保することができる。しかも、少ない箇所（本実施例では１箇所）での位置調整作業により、互いに加工方法が異なるカム溝部１０８ａ〜１０８ｄの加工誤差による上記光学素子間の相対位置ずれを補正することが可能である。
【００６７】
以上説明した実施例は代表的な例にすぎず、本発明の実施に際しては、実施例に対して種々の変形や変更が可能である。
【００６８】
例えば、上記実施例では、カム筒の内周カム溝部の数を貫通カム溝部の数よりも多くし、貫通カム溝部により移動される光学素子に対して位置調整機構を設けた場合について説明した。しかし、内周カム溝部の数を貫通カム溝部の数よりも少なくして、内周カム溝部により移動される光学素子に対して位置調整機構を設けても、同様の効果を得ることが可能である。この場合、相対位置ずれによる光学性能の劣化度が大きい光学素子同士を、加工方法が同じ同種のカム溝部により移動させるように構成することが望ましい。
【００６９】
また、上記実施例では、光学素子の位置調整機構として、光軸方向での位置を調整する機構について説明したが、光軸に直交する面内での位置を調整できる位置調整機構を設けてもよい。
【００７０】
また、上記実施例では、第１保持枠１２３に対して位置調整機構を設けた場合について説明したが、直進筒Ａ１１２や直進筒Ｂ１２２の位置を偏心コロ等を用いて調整できる位置調整機構を設けてもよい。さらに、調整箇所も上記実施例に示した１箇所に限定されず、振れ補正ユニット１１０に含まれる第４レンズユニットＬ４と第５レンズユニットＬ５の相対位置調整等、良好な光学性能を得るための位置調整機構を適宜組み込んでもよい。
【００７１】
また、上記実施例では、カム筒Ａ１０８自体も案内筒１０７に対して光軸方向に移動する場合について説明したが、カム筒は少なくとも光軸回りで案内筒に対して回転すればよく、光軸方向に移動しなくてもよい。
【００７２】
また、上記実施例では、カム筒Ａ１０８において貫通カム溝部１０８ａと内周カム溝部１０８ｂ，１０８ｃの数が互いに異なっているが、これらを同じにしてもよい。貫通カム溝部と内周カム溝部をそれぞれ少なくとも１つ設け、該貫通カム溝部と内周カム溝部により移動される第１の光学素子と第２の光学素子がそれぞれ少なくとも１つあればよい。
【００７３】
さらに、上記実施例では、交換レンズについて説明したが、本発明は、レンズ一体型のレンズシャッタカメラ、デジタルスチルカメラ、ビデオカメラ等の各種光学機器におけるレンズ鏡筒部に適用することができる。
【図面の簡単な説明】
【００７４】
【図１】本発明の実施例である交換レンズの構成を示す断面図。
【図２】上記交換レンズの主要部の分解斜視図。
【図３】上記交換レンズに用いられるカム筒の斜視図。
【符号の説明】
【００７５】
１０７  案内筒
１０８  カム筒Ａ
１０９  第３保持枠
１１０  振れ補正ユニット
１１１  カム筒Ｂ
１１２  直進筒Ａ
１１８  第６保持枠
１２２  直進筒Ｂ
１２３  第１保持枠
１３８  フォーカスカム筒
１４０  第２保持枠
Ｌ１〜Ｌ６  レンズユニット
【図１】
2010032727.tif 000003
【図２】
2010032727.tif 000004
【図３】
2010032727.tif 000005